(57)【要約】【課題】被視認性を向上させつつコストアップを抑制し廃棄時の分別が容易で発光効果が長期に得られるディスク収納容器（５０）を提供する。【解決手段】矩形の基部（１ａ）とその一側部から立ち上がる側壁部（１ｄ）とを有する本体部（１）と、ディスク（Ｄ）を収納するディスク収納部（３ａ）を有して基部に取り付けられたトレイ部（３）と、本体部の一側部側に設定された回動軸（ＣＬ）の回りに回動し、本体部に対してトレイ部（３）を覆うように開閉自在とされた蓋部（２）と、本体部の一側部側に光束を偏向する反射体（５）を備え、反射体は、外部から一側部に隣接する側部側を通過して入射した光が入光する入光面（５ｂａ）と、入光面から入射した光を反射して側壁部（１ｄ）に向けて反射する反射面（５ｂｃ）と、反射面で反射された光を透過して出向する出光面（５ｂｂ）とを有する。【選択図】図１
2008081174.tif 000002
【特許請求の範囲】
【請求項１】
矩形の基部と該基部の一側部から立ち上がる側壁部とを有する本体部と、
ディスクを収納するディスク収納部を有して前記基部に取り付けられたトレイ部と、
前記本体部の前記一側部側に設定された回動軸の回りに回動し、前記本体部に対して前記トレイ部を覆うように開閉自在とされた蓋部と、を備えたディスク収納容器において、
前記本体部の前記一側部側に光束を偏向する反射体を備え、
該反射体は、前記一側部に隣接する側部側からの光を入光する入光面と、該入光面から入射した光を反射して前記側壁部に向けて反射する反射面と、該反射面で反射された光を透過して出向する出光面とを有することを特徴とするディスク収納容器。
【請求項２】
前記反射体は、前記トレイ部と一体で形成されていることを特徴とする請求項１記載のディスク収納容器。
【請求項３】
少なくとも前記側壁部と前記出向面との間に配設され該出向面からの光を透過する表示シートを備えたことを特徴とする請求項１又は請求項２記載のディスク収納容器。
【請求項４】
ディスク収納容器を載置可能な載置面と、該載置面に設けられ光を透過する開口部と、該載置面から突出する壁部と、を有する筐体と、
前記開口部を介して外部に光を出射するよう前記筐体内に設けられた発光部と、を備えた展示棚であって、
前記載置面に、請求項１乃至請求項３のいずれか１項に記載のディスク収納容器を、該ディスク収納容器における前記側壁部と対向する側部が前記壁部に当接するよう載置した際に、前記開口部及び前記発光部が、該開口部を介して出射した光が前記反射体の入光面に入射するよう設けられて成ることを特徴とする展示棚。
【請求項５】
展示棚に扁平のディスク収納容器を立てて展示するディスク収納容器の展示方法において、
前記ディスク収納容器を載置する載置面に、内部から外部に向けて光を出射する出光部を設けておき、
前記ディスク収納容器を、その一側面から入光した光を偏向して前記一側面に隣接する他の側面から外部に出光する構成とし、
前記ディスク収納容器を、前記一側面を載置面側として前記載置面に載置した際に、前記載置面の前記出光部から出向した光を前記ディスク収納容器内に入光させた後、前記他の側面から外部に出光させて該他の側面を発光させることを特徴とするディスク収納容器の展示方法。
【発明の詳細な説明】
【技術分野】
【０００１】
本発明は、ディスク収納容器，展示棚，及び，ディスク収納容器の展示方法に係り、特に、ディスク状の情報記録媒体を収納した容器を展示する際に、収納容器に高い被視認性を付与して消費者の注目度を向上させる技術に関する。
【背景技術】
【０００２】
従来、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などのディスク状の情報記録媒体（以下、単にディスクとも称する）は、通常、樹脂性の収納容器に収納された商品形態で展示販売される。
この収納容器は扁平形状を呈し、その内部には、ディスクと共に、そのディスクの仕様やディスクに記録された情報の内容などが表示されているシート（以下、単に表示シートと称する）が収納されている。
【０００３】
ところで、この商品を展示する場合、収納容器の広い面が重なるように並べて陳列されるのが一般的であるので、消費者は、商品を手に取らない限り収納容器の狭い側面（背表紙）しか視認することができない。
従って、陳列された多種のディスクの中から所望のディスクを選択する場合、まず、この面積の狭い側面から認められる表示シートに表示されたわずかな情報を見て選択しなければならず、消費者にかなりの負担を強いる状況となっている。
また、販売する立場からすると、多くの陳列商品の中から特に売りたい商品を狭い側面から認められる情報だけで差別化して消費者に選択してもらうには限界があった。
【０００４】
これを改善するために、特許文献１及び特許文献２が提案されている。
特許文献１では、収納容器の内部に電飾発光装置を設けて収納容器自体を発光させる技術が開示され、その段落番号００２１には、発光色をディスクのジャンル別に異ならせることが記載されている。これによれば、商品が差別化され、消費者の商品選択が容易になることが期待される。
また、特許文献２では、収納容器の内部に発光ダイオードとその点灯回路とを設ける技術が開示され、自他商品の識別が容易となり販売促進を図ることができるとされている。
【特許文献１】特開２００３−１２０８１号公報
【特許文献２】特開２００６−１３７４６９号公報
【発明の開示】
【発明が解決しようとする課題】
【０００５】
例えば、ディスクが音楽ＣＤなどの場合、消費者の主たる購入スタイルとしては、アーティストやタイトルを基に、予め購入しようとするディスクを決めて来店して購入するいわゆる指名買いというスタイルと、内容は購入してからの楽しみとして陳列されている収納容器から視認される表示シートのデザインや表示内容を気に入って購入する、いわゆるジャケ買いという購入スタイルなどがある。
【０００６】
特に後者においては、まずは手に取ってもらうことを目的とした収納容器の背表紙のデザインの工夫が重要であり、それが直接販売促進に繋がるものであるが、上述したように、背表紙は面積が狭く、そこに盛り込める表示としての工夫には限界がある。
従って、各特許文献に記載されたような収納容器が発光するという特徴は有力な工夫となる。
【０００７】
しかしながら、各特許文献に記載されたものは、いずれも、収納容器の内部に
ＬＥＤ，それを発光させる回路，及び，電池を含む発光装置を備えているので、コストが大幅にアップするという問題がある。
また、部品点数が大幅に増加するので収納容器の組み立て工数が増加してコストが大幅にアップするという問題がある。
また、廃棄処理方法の異なる複数の材料が混在するので、廃棄の際の分別が極めて難しいという問題がある。
また、電池の残量が無くなると発光が停止し単なる収納容器になってしまうので、発光効果が得られる期間が限定され、また、発光する収納容器としてのリユースも困難であるという問題がある。
【０００８】
そこで、本発明が解決しようとする課題は、ディスクの収納容器が発光することでその被視認性を向上させつつ、コストアップを抑制し、収納容器の廃棄の際の分別が容易であり、発光効果が長期に得られ、発光する収納容器としてのリユースも容易な、ディスク収納容器，展示棚，及び，ディスク収納容器の展示方法を提供することにある。
【０００９】
上記の課題を解決するために、本願発明は次の１）〜５）の手段を有する。
１）  矩形の基部（１ａ）と該基部（１ａ）の一側部から立ち上がる側壁部（１ｄ）とを有する本体部（１）と、
ディスク（Ｄ）を収納するディスク収納部（３ａ）を有して前記基部（１）に取り付けられたトレイ部（３）と、
前記本体部（１）の前記一側部側に設定された回動軸（ＣＬ）の回りに回動し、前記本体部（１）に対して前記トレイ部（３）を覆うように開閉自在とされた蓋部（２）と、を備えたディスク収納容器において、
前記本体部（１）の前記一側部側に光束を偏向する反射体（５）を備え、
該反射体（５）は、前記一側部に隣接する側部側からの光を入光する入光面（５ｂａ）と、該入光面（５ｂａ）から入射した光を反射して前記側壁部（１ｄ）に向けて反射する反射面（５ｂｃ）と、該反射面（５ｂｃ）で反射された光を透過して出向する出光面（５ｂｂ）とを有することを特徴とするディスク収納容器（５０）である。
２）  前記反射体（５）は、前記トレイ部（３）と一体で形成されていることを特徴とする１）に記載のディスク収納容器（５０）である。
３）  少なくとも前記側壁部（１ｄ）と前記出向面（５ｂｂ）との間に配設され該出向面（５ｂｂ）からの光を透過する表示シート（４ｄ）を備えたことを特徴とする１）又は２）に記載のディスク収納容器（５０）である。
４）  ディスク収納容器を載置可能な載置面（１１ａ）と、該載置面（１１ａ）に設けられ光を透過する開口部（１１ｃ）と、該載置面（１１ａ）から突出する壁部（１１ｂ）と、を有する筐体（１１）と、
前記開口部（１１ｃ）を介して外部に光を出射するよう前記筐体（１１）内に設けられた発光部（７）と、を備えた展示棚であって、
前記載置面（１１ａ）に、１）乃至３）に記載のディスク収納容器（５０）を、該ディスク収納容器（５０）における前記側壁部（１ｄ）と対向する側部（１ｇ）が前記壁部（１１ｂ）に当接するよう載置した際に、前記開口部（１１ｃ）及び前記発光部（７）が、該開口部（１１ｃ）を介して出射した光が前記反射体（５）の入光面（５ｂａ）に入射するよう設けられて成ることを特徴とする展示棚（５１）である。
５）  展示棚（５１）に扁平のディスク収納容器（５０）を立てて展示するディスク収納容器（５０）の展示方法において、
前記ディスク収納容器（５０）を載置する載置面（１１ａ）に、内部から外部に向けて光を出射する出光部（１１ｃ）を設けておき、
前記ディスク収納容器（５０）を、その一側面（１ｅ）側から入光した光を偏向して前記一側面（１ｅ）に隣接する他の側面（１ｄ）から外部に出光する構成とし、
前記ディスク収納容器（５０）を、前記一側面（１ｅ）を載置面（１１ａ）側として前記載置面（１１ａ）に載置した際に、前記載置面（１１ａ）の前記出光部（１１ｃ）から出向した光を前記ディスク収納容器（５０）内に入光させた後、前記他の側面（１ｄ）から外部に出光させて該他の側面（１ｄ）を発光させることを特徴とするディスク収納容器（５０）の展示方法である。
【発明の効果】
【００１０】
本発明によれば、ディスクの収納容器を発光させても、大幅なコストアップを招くものではなく、収納容器の分別廃棄やリユースが容易であり、発光効果が長期間得られる、という効果を奏する。
【発明を実施するための最良の形態】
【００１１】
本発明の実施の形態を、好ましい実施例により図１〜図７を用いて説明する。
【００１２】
本発明におけるディスクを収納する収納容器は、外部から入射した光を導光して背表紙を照明するようにその光束を偏向させる構成とされており、さらに、本発明は、この収納容器を載置する棚としてこの収納容器に向けて光を出射する構成の展示棚を提供する。
【００１３】
図１は、本発明の実施例の収納容器５０の分解斜視図である。
この収納容器５０は、本体部１，蓋部２，トレイ部３，表示シート４，及び，導光反射体５を有して構成されている。
【００１４】
具体的に説明すると、本体部１は、平面状の矩形なる基部１ａと、その各辺から立ち上がる４つの側壁１ｂ〜１ｅと、を有し、光透過性を有する樹脂材料を射出成形して形成されている。
４つの側壁１ｂ〜１ｅの内の背表紙に相当する背側壁１ｄに隣接する側壁１ｂ，１ｃには、それぞれ背側壁１ｄの面に平行な方向に突出する突起１ｆが設けられている。
【００１５】
蓋部２は、本体部１に覆い被さる形状とされ、平面状の矩形なる基部２ａと、その一対の対向辺から立ち上がる２つの側壁２ｂ，２ｃとを有し、光透過性を有する樹脂材料を射出成形して形成されている。
側壁２ｂ，２ｃには、回動軸ＣＬを中心とする孔２ｆがそれぞれ設けられており、この孔２ｆに本体部１の突起１ｆが嵌合することにより、蓋部２は回動軸ＣＬ回りに回動して本体部１に対して開閉自在とされている。
この蓋部２の閉状態において、トレイ部３は蓋部２により完全に覆われてディスク収納容器５０は本体部１及び蓋部２により扁平の箱形状を呈する。
ここで突起１ｆとこれが嵌合する孔２ｆとの関係は逆であってもよい。すなわち突起が蓋部２に形成され、この突起と嵌合する孔が本体部１に形成されていてもよい。
【００１６】
トレイ３は、ディスクＤの外形に相当する略円形に凹んだ凹部３ａと、この凹部３ａに収納されたディスクＤの孔Ｄａと嵌合してディスクＤを係止する係止部３ｂとを有して矩形板状を呈し、その一辺側に段部３ｃが形成されている。このトレイ３は樹脂材料を射出成形して形成されている。
この凹部３ａはディスクＤを収納する収納部である。
このトレイ３は、本体部１に対して図示しない係合部を介して嵌着されている。
【００１７】
一方、本体部１の内面には、表示シート４が載置される。
表示シート４は矩形形状を呈し、その一端部側が折り曲げられて背表紙４ａとされている。
この表示シート４は、紙や樹脂シートなどにより光透過性を有して形成されており、収納されるディスクＤの仕様やディスクＤに記録されたコンテンツの内容などの情報ＪＦが印刷などにより表示されている。
また、この表示シート４は、背表紙４ａが背側壁１ｄに対向するように折り曲げられて本体部１に載置されており、背表紙４ａに表示された情報ＪＦは、背側壁１ｄを通して外部から視認可能とされている。
【００１８】
図２は図１における回動軸ＣＬ近傍の矢視Ｙ図であり、図３は図１におけるＳ−Ｓ断面図である。図３においては、理解容易のため蓋部２は非表示としている。
これらの図から、本体部１の基部１ａと背壁部１ｄとトレイ部３の段部３ｃとで空間ＳＰが形成されていることがわかる。そして、実施例の収納容器５０は、この空間ＳＰに導光反射体５が配設されている。
図２において、蓋部２の空間ＳＰに対応し孔２ｆの投影に干渉しない矩形範囲は入光部ＳＰ１とされており、詳細は後述する。
【００１９】
次に、導光反射体５について、図４を用いて詳述する。
導光反射体５は、略長方形の板状のベース部５ａと、このベース部５ａ上に形成された導光部５ｂとを有し、透明のアクリル樹脂により形成されている。
導光部５ｂは、矩形の端面である入光面５ｂａと、入光面５ｂａと連接しベース部５ａに対して直交する出光面５ｂｂと、入光面５ｂａと連接しベース部５ａに対して直交すると共に出光面５ｂｂに近づく方向に入光面５ｂａに対して鋭角βをなして形成された反射面５ｂｃと、を有している。
【００２０】
この導光反射体５は、入光面５ｂａに入射した光Ｌ１を反射面５ｂｃに導光して反射面５ｂｃで反射させ、出向面５ｂｂから光Ｌ２として出射するものである。
【００２１】
この導光及び反射について、図５を用いて具体的に説明する。
図５（ａ）は導光部５ｂの平面図であり、図５（ｂ）はその反射面５ｂｃの部分拡大図である。
【００２２】
反射面５ｂｃは、断面が三角形状を呈して図５における紙面直交方向に延在する凹部５ｅがその反射面５ｂｃに沿って連続して形成されている。
この凹部５ｅは、入光面５ｂａに直交する方向に形成された第１の辺５ｅ１と入光面５ｂａに対して４５°をなす方向に形成された第２の辺５ｅ２により構成されている。
【００２３】
第１の辺５ｅ１の長さは、各凹部５ｅにおける第１の辺５ｅ１と第２の辺５ｅ２の各交点Ｐを繋ぐ直線ＬＮが、入光面５ｂａに対して角度βをなすように設定されている。
この角度βは、この導光反射体５が配設可能な範囲である、図２における入光部ＳＰ１の幅Ｄと図１の奥行き（長さ）Ｌとから、β＝ａｒｃｔａｎ（Ｄ／Ｌ）で示される。
【００２４】
ここで、Ｄ，Ｌは、外径が１２ｃｍのディスクを収納する定型の収納容器において概ねＤ＝５，Ｌ＝１１７と設定できるので、
β＝ａｒｃｔａｎ（５／１１７）＝２．４５°
である。
一方、アクリル樹脂の屈折率は１．４９であるから空気に対する臨界角は４２°である。
【００２５】
従って、入光面５ｂａに対して直交して入射し反射面５ｂｂに誘導された光Ｌ１は、各第２の辺５ｅ２において全反射し、出光面５ｂｂから直交出射する。
すなわち、図４において、入光面５ｂａにその範囲内で直交入光した光は、出向面５ｂｂに相当する長方形の範囲ＳＰ２にその光束範囲が変換されて出射される。
【００２６】
ここで出光面５ｂｂの形状は、本体部１の背側壁１ｄの内面形状に対応する形状に設定してあるので、上述した構成によれば、入光部ＳＰ１から入光した光は、蓋部２を通過して導光反射体５にその入光面５ｂａ入光し、反射面５ｂｃで反射して出光面５ｂｂから出光し、表示シート４の背表紙４ａの内側全面に照射される。
【００２７】
次に、入光部ＳＰ１について説明する。
図２に示す入光部ＳＰ１は、蓋部２の一方の側面２ｃにおける回動軸ＣＬ近傍に少なくとも光透過性を有するように形成された窓部である。また、本体部１の側壁１ｅにおけるこの入光部ＳＰ１に対応する範囲も同様に光透過性を有するように形成される。以下、特に記載がない限り、蓋部２及び本体部１のこの光透過性窓部を併せて入光部ＳＰ１と称する。
従って、本体部１及び蓋部２は、少なくとも入光部ＳＰ１が光透過性を有していれば、不透明な樹脂を用いて形成されていてもよい。
【００２８】
この入光部ＳＰ１は、表示シート４の表示内容に応じて棚などに立てて陳列した際に底面となる側面側に設けられるのが望ましい。
また、入光部ＳＰ１は、光透過性を有していればよいが良いが、入射した光を偏向させずに通過させるよう透明であるのが最も望ましい。もちろん、孔として開口させたものであってもよい。
この入光部ＳＰ１の形状は、空間ＳＰ内における孔２ｆの投影に干渉しない範囲内で自由に設定される。図２では四角形としているが、他の多角形，円形，または楕円形でもよい。
【００２９】
図６に示すように、導光反射体５は、本体部１の空間ＳＰに、両者に設けられた図示しない係合手段により係合して配設される。
そして、この収納容器５０は、外部の光源６からの光Ｌ１が入光部ＳＰ１から入光すると、その光Ｌ１を反射面５ｂｃで反射して表示シート４の背表紙４ａの内側に照射させる。
【００３０】
そのため、表示シート４は、この内側からの照射によりそれ自体が発光し、さらには収納容器５０の背側面１ｄが発光しているかのように視認される。
従って、表示シート４の材質や表面状態と色や表示する文字や図柄などとの組み合わせに応じて種々の発光形態を得ることができ、極めて高い装飾性と被視認性とを有し、商品を消費者に強くアピールすることができる。
【００３１】
次に、展示棚５１について図７を用いて詳述する。
図７（ａ），図７（ｂ）に示すように、この展示棚５１は、筐体１１と、その内部に搭載された発光部７，制御部８，電源９及びインターフェース（Ｉ／Ｆ）１１と、を有して構成されている。
【００３２】
筐体１１は、図７（ａ）において左側が消費者から視認される側（前面）として形成されており、収納容器５０を載置する載置部１１ａと、載置部１１ａの後面側に突出して設けられた壁部１１ｂと、を備えている。
また、収納容器５０を、その背側壁１ｄに対向する側壁１ｂ側の端部１ｇが壁部１１ｂに当接するように載置部１１ａに載置した際に、載置部１１ａにおける収納容器５０の入光部ＳＰ１と対応する位置には開口部１１ｃが設けられている。この開口部１１ｃは、単なる孔として、あるいは透明の樹脂板などで塞がれた光が通過可能な孔として設けられている。
【００３３】
一方、Ｉ／Ｆ１１は、外部との通信を行い、外部から入来する、発光パターンや色などについての指示を受信し、指示信号として制御部８に送出する。
制御部８は、このＩ／Ｆ１１からの指示信号に基づいて発光部７の発光を制御する。
【００３４】
発光部７はＬＥＤなどを用いて単色又は多色の発光が可能な光源６を備え、制御部８の指示に応じて平行光Ｌ１を発光し、筐体１１の開口部１１ｃを介して外部に出光する。
この発光部７は、図７の紙面直交方向に複数配置され、収納容器５０が同方向に多数載置された場合に、収納容器５０のそれぞれの入光部ＳＰ１に向けて出光するように構成されている（図７（ｂ）参照）。
発光部７からの出光Ｌ１は、必ずしも平行光でなくてもよいが、光の利用効率から平行光であることが望ましい。
【００３５】
電源９は電池であるが、これを搭載せずに外部から電力が供給される構成でもよい。
また、Ｉ／Ｆ１０を搭載せずに、発光部７の発光を図示しないスイッチによりＯＮ／ＯＦＦ制御する構成でもよい。
【００３６】
このような構成の展示棚５１に収納容器５０を載置して展示すれば、発光部７から開口部７ｃを介して外部に出射した光Ｌ１が、収納容器５０の入光部ＳＰ１を介して収納容器５０の内部に入光し、導光反射体５により導光及び反射されて表示シート４の背表紙４ａを照明することができる。
従って、この収納容器５０の被視認性は極めて高く、表示シート４における背表紙４ａの表示内容が把握し易いので、収納したディスクＤの内容についての消費者の認知を容易にすると共に購買意欲を高めることができる。
【００３７】
また、収納容器５０は、表示シート４が樹脂シート以外の場合、これを除いてすべて樹脂材で構成されているので、廃棄の際の分別が極めて容易である。
また、収納容器５０は、従来の収納容器に対して、安価に形成できる導光反射体５を付加しただけのものであるから、コストアップが効果的に抑制される。
また、発光のための電源を内蔵していないので、発光機能を備えた展示棚５１に載置することで発光効果が継続して得られ、発光する収納容器としてのリユースも当然に容易である。
また、実施例によれば、複数の収納容器５０を、その収納したディスクの内容のジャンルに応じてあらかじめ定められた載置位置に載置しておくことで、例えばジャンル毎に異なる色で発光させることができる。
【００３８】
本発明の実施例は、上述した構成及び手順に限定されるものではなく、本発明の要旨を逸脱しない範囲において変形例としてもよいのは言うまでもない。
【００３９】
導光反射体５の反射面５ｂｃは、実施例のものに限らず、表面を梨地面などにとして入来した光を乱反射させるものでもよい。
【００４０】
また、この導光反射体５は、図８に示すように、トレイ部３と一体に形成されていてもよい。
図８は、トレイ部３を凹部３ａの反対側から見た概略斜視図である。
このトレイ部３においては、その段部３ｃの天板部３ｃ１に導光部５ｂに相当する一体導光部５ｂ１が突出して形成されている。
この場合、トレイ部３は光透過性の樹脂を用いて射出形成により形成することができるが、この一体導光部５ｂ１を設けても、トレイ部３を成形するための金型の抜き方向ＮＨは、スライド型などを用いることなく一方向のいわゆる順抜きとして形成できるので、成形コストが上昇することはなく、好ましい。
【００４１】
また、実施例の展示棚５１は、販売や展示用の展示棚に限らず、ディスクを収納した収納容器を保管するための棚にも適用できる。この場合には、間接照明や光るインテリアとしても利用することができる。
【００４２】
収納容器５０に収納されるディスクは、ＣＤ，ＤＶＤ，Ｂｌｕ−ｒａｙ，ＨＤ  ＤＶＤなどに限るものではなく、ディスク状の情報記録媒体であればよい。
また、ディスクの外径が１２ｃｍ以外の場合は、その径のディスクを収納する収納容器のサイズに応じて適宜角度βなどを設定すればよいことは言うまでもない。
【図面の簡単な説明】
【００４３】
【図１】本発明の収納容器の実施例を説明する組み立て図である。
【図２】本発明の収納容器の実施例を説明する部分側面図である。
【図３】本発明の収納容器の実施例を説明する部分断面図である。
【図４】本発明の収納容器の実施例における要部を説明する斜視図である。
【図５】本発明の収納容器の実施例における要部を説明する平面図である。
【図６】本発明の収納容器及び展示棚の実施例を説明する部分断面図である。
【図７】本発明の展示棚の実施例を説明する図である。
【図８】本発明の収納容器の実施例における要部の変形例を説明するための図である。
【符号の説明】
【００４４】
１  本体部
１ａ  基部
１ｂ，１ｃ，１ｅ  側壁
１ｄ  背側壁（側壁）
１ｆ  突起
２  蓋部
２ａ  基部
２ｂ，２ｃ  側壁
２ｆ  孔
３  トレイ部
３ａ  凹部
３ｂ  係止部
３ｃ  段部
３ｃ１  天板部
４  表示シート
４ａ  背表紙
５  導光反射体
５ａ  ベース部
５ｂ  導光部
５ｂ１  一体導光部
５ｂａ  入光面
５ｂｂ  出光面
５ｂｃ  反射面
５ｅ  凹部
５ｅ１，５ｅ２  第１，第２の辺
６  光源
７  発光部
８  制御部
９  電源
１０  Ｉ／Ｆ
１１  筐体
１１ａ  載置部
１１ｂ  壁部
１１ｃ  開口部
５０  収納容器
５１  棚
ＣＬ  回動軸
ＪＦ  （表示された）情報
Ｌ１，Ｌ２  光
ＮＨ  （金型の）抜き方向
ＳＰ  空間
ＳＰ１  入光部
【図１】
2008081174.tif 000003
【図２】
2008081174.tif 000004
【図３】
2008081174.tif 000005
【図４】
2008081174.tif 000006
【図５】
2008081174.tif 000007
【図６】
2008081174.tif 000008
【図７】
2008081174.tif 000009
【図８】
2008081174.tif 000010